(57)【要約】【課題】乗場混雑を招くことなく、一般利用者と車椅子利用者が１つの装置で呼び登録を行うことできるようにする。【解決手段】乗場１０に設置された操作ボタン４により呼びを登録する呼び登録装置（エレベータ制御装置１０１）において、前記操作ボタン４を操作したときに、複数の操作方向を弁別する操作方向検出手段（スイッチ部５ａ，６ａ，７ａ：乗場登録装置１１０）と、前記操作方向検出手段（スイッチ部５ａ，６ａ，７ａ）によって検出される操作方向から一般利用者用運転モード（Ｓ７）と車椅子運転モード（Ｓ５）のいずれかの運転モードを設定する運転モード設定手段（エレベータ制御部１１６：Ｓ３，Ｓ４，Ｓ６，Ｓ８）と、を備えた。【選択図】図９
2018002401.tif 000002
【特許請求の範囲】
【請求項１】
乗場に設置された操作ボタンにより呼びを登録するエレベータの呼び登録装置において、
前記操作ボタンを操作したときに、操作方向を弁別する操作方向検出手段と、
前記操作方向検出手段によって検出された操作方向から一般利用者用運転モードと車椅子運転モードのいずれかの運転モードを設定する運転モード設定手段と、
を備えたことを特徴とするエレベータの呼び登録装置。
【請求項２】
請求項１に記載のエレベータの呼び登録装置において、
前記操作方向検出手段は、上方向、中央方向および下方向の少なくとも３方向の操作方向を弁別することを特徴とするエレベータの呼び登録装置。
【請求項３】
請求項２に記載のエレベータの呼び登録装置において、
前記操作方向が前記中央方向および前記下方向のいずれかであることを前記操作方向検出手段が検出したとき、前記運転モード設定手段は、前記運転モードを前記車椅子運転モードに設定することを特徴とするエレベータの呼び登録装置。
【請求項４】
請求項１に記載のエレベータの呼び登録装置において
乗りかご内で車椅子用の行先階ボタンが操作されたとき、前記運転モード設定手段は、前記運転モードを前記車椅子運転モードに設定することを特徴とするエレベータの呼び登録装置。
【請求項５】
請求項１に記載のエレベータの呼び登録装置において、
前記操作ボタンが、上方向からの押圧操作で有効となる上部スイッチと、中央方向からの押圧操作で有効となる中央スイッチと、下方向からの押圧操作で有効となる下部スイッチと、を備えた１つのスイッチ装置を含むことを特徴とするエレベータの呼び登録装置。
【請求項６】
請求項１ないし５のいずれか１項に記載のエレベータの呼び登録装置を備えたことを特徴とするエレベータ装置。
【発明の詳細な説明】
【技術分野】
【０００１】
本発明は、エレベータの呼び登録装置およびエレベータ装置に関する。
【背景技術】
【０００２】
エレベータの乗場には呼び登録装置が設置されている。乗客が、その登録装置の操作ボタンを押下することにより、呼び登録装置は乗場で呼び登録を行う。通常、この操作ボタンは、乗場の壁面に床面からの高さが１２００ｍｍ程度の位置に固定されている。また、車椅子利用者仕様のエレベータであれば、利用者が車椅子に座った状態でボタンを操作できるように、一般利用者用の操作ボタンとは別に、一般利用者用の操作ボタンより低い位置に車椅子利用者専用の操作ボタンが別途設けられている。車椅子利用者専用の操作ボタンは、例えば床面からの高さが１０００ｍｍ程度の位置である。
【０００３】
一方、近年、乗場の意匠上の効果の向上、操作ボタンを分けることによる一般利用者と車椅子利用者用の差別化、一般利用者用と車椅子利用者用の操作ボタンを全階床の乗場に設けることによるコストの増大、もしくは車椅子利用者用の操作ボタンを追加することによるコスト増大、などが問題となっている。
【０００４】
そこで、これらの問題を解決するため、例えば、特開２０１２−１７１７６２号公報（引用文献１）記載の技術が提案されている。この技術は、画面上にタッチセンサを有するフラットディスプレイと、このフラットディスプレイを乗場の壁面に回動自在に支持する支持機構と、この支持機構を介してフラットディスプレイの傾き角度を調整する制御装置と、を備えたエレベータの表示装置である。
【先行技術文献】
【特許文献】
【０００５】
【特許文献１】特開２０１２−１７１７６２号公報
【発明の概要】
【発明が解決しようとする課題】
【０００６】
前記特許文献１の構成によれば、制御装置によってディスプレイの角度を手動で変えることで、一般利用者に対しても、車椅子利用者に対してもフラットディスプレイによって呼び登録が可能となっており、１つのフラットディスプレイを使用して呼び登録を行う際に、車椅子利用者に対しても乗場側で操作性を低下せずに呼び登録を簡易化することができる、としている。
【０００７】
しかし、特許文献１に記載の技術では、一般利用者と車椅子利用者がそれぞれ自分の操作しやすいようにフラットディスプレイの角度を手動で変えることから、呼び登録時に乗場が混雑してしまい、車椅子利用者の通路が邪魔されてしまうことがあった。
【０００８】
そこで、本発明が解決しようとする課題は、乗場混雑を招くことなく、一般利用者と車椅子利用者が１つの装置で呼び登録を行うことできるようにすることにある。
【課題を解決するための手段】
【０００９】
上記課題を解決するために、本発明の一形態は、乗場に設置された操作ボタンにより呼びを登録する呼び登録装置において、前記操作ボタンを操作したときに、複数の操作方向を弁別する操作方向検出手段と、前記操作検出手段によって検出された方向から通常運転モードと車椅子運転モードのいずれかの運転モードを設定する運転モード設定手段と、を備えたことを特徴とする。
【発明の効果】
【００１０】
本発明の一形態によれば、乗場混雑を招くことなく、一般利用者と車椅子利用者が１つの装置で呼び登録を行うことできる。なお、前記以外の課題、構成および効果は、以下の実施形態の説明において明らかにされる。
【図面の簡単な説明】
【００１１】
【図１】本発明の実施形態に係るエレベータ装置の概略構成を示す図である。
【図２】本発明の実施形態に係る乗場側に配置されている呼び登録装置の一例を示す図である。
【図３】図２における呼び登録装置の操作ボタンの縦断面図である。
【図４】図３の操作ボタンを上方から押す際の動作説明図である。
【図５】図３の操作ボタンを下方から押す際の動作説明図である。
【図６】図３の操作ボタンのバリエーションを示す図である。
【図７】乗りかご内の操作部を示す図である。
【図８】本発明の実施形態に係るエレベータ制御装置の機能構成を示すブロック図である。
【図９】本発明の実施形態におけるモード設定の処理手順を示すフローチャートである。
【図１０】従来から一般に使用されている乗場側に配置されている呼び登録装置の一例を示す図である。
【発明を実施するための形態】
【００１２】
以下、図面を参照し、本発明の実施形態について説明する。
【００１３】
図１は、本発明の実施形態に係るエレベータ装置１００の概略構成を示す図である。同図において、エレベータ装置１００は、塔内１０２に昇降可能に設けられた乗りかご２０、釣合い重り１０４、乗りかご２０と釣合い重り１０４を昇降させる巻上機１０６、エレベータ制御盤１０８、乗場登録装置１１０およびかご内登録装置１１２から基本的に構成されている。
【００１４】
乗りかご２０と釣合い重り１０４は主ロープ１０５によって連結され、巻上機１０６によってつるべ式に昇降する。エレベータ制御盤１０８は、建物もしくはエレベータ装置１００の塔の屋上に設けられた機械室に設置されている。エレベータ制御盤１０８は、図８に示すようにエレベータ呼び登録制御部１１４、エレベータ制御部１１６およびエレベータ運転制御部１１８を備えている。詳細は後述する。エレベータ制御盤１０８には昇降路ケーブル１２０を介して各階床の乗場１０ａ，１０ｂ，１０ｃ，１０ｄ（総括的には符号１０で示す）に設けられた乗場登録装置１１０ａ，１１０ｂ，１１０ｃ，１１０ｄ（総括的には符号１１０で示す）と接続され、乗りかご２０のかご内登録装置１１２と図示しない通信ケーブルを介して接続されている。乗場登録装置１１０とかご内登録装置１１２からの信号は、エレベータ呼び登録制御部１１４に伝達され、エレベータ呼び登録制御部１１４で呼び登録に関する制御および登録が行われる。
【００１５】
図１０は従来から一般に使用されている乗場１０側に配置されている乗場登録装置１１０の一例を示す図である。
【００１６】
図１０示すように従来では、乗場ドア１の横の壁１ａ部分に、乗場１０側の操作ボタンが設けられている。従来では、操作ボタンは、一般利用者用ボタン２と車椅子利用者用ボタン３とに分けられ、前者が後者より上側に配置されている。一般的には、前者は床から１２００ｍｍ、後者は１０００ｍｍの高さに設けられている。また、一般利用者用ボタン２の上部には表示部２ａが設置され、乗場にいる利用者に例えば乗りかご２０の現在位置あるいは昇降方向などの情報を表示する。この表示内容は、エレベータ装置１００に応じて適宜設定される。
【００１７】
図２は本実施形態に係る乗場１０側に配置されている乗場登録装置１１０の一例を示す図である。従来では、図８に示すように操作ボタンが、一般利用者用ボタン２と車椅子利用者用ボタン３とに分けられているが、本実施形態では、図２に示すように、操作ボタン４が乗場ドア１の横の壁１ａにただ１つ設けられている。この操作ボタン４は、前記一般利用者用ボタン２と車椅子利用者用ボタン３の１つの操作ボタン４で兼用するものとなっている。すなわち、本実施形態に係る操作ボタン４は、一般利用者用および車椅子利用者用ボタンである。また、乗場登録装置１１０は操作ボタン４と表示部４ａとを備えている。表示部４ａの表示内容は前記表示部２ａと同様である。
【００１８】
図３は本実施形態に係る乗場１０側に配置する乗場登録装置１１０の操作ボタン４の縦断面図である。
【００１９】
操作ボタン４は上部スイッチ（ＳＷ）５、中央スイッチ（ＳＷ）６および下部スイッチ（ＳＷ）７の３つのスイッチ部５ａ，６ａ，７ａと、各スイッチ部５ａ，６ａ，７ａを操作する操作部５ｂ，６ｂ，７ｂと、を備えている。操作ボタン４は、スイッチ部５ａ，６ａ，７ａのオン／オフ検知により上、中、下の３つの操作方向（ユーザがタッチした方向）を区別することができる。前記いずれかの方向から押されたとき、その方向に対応するスイッチ部５ａ，６ａ，７ａがオンになり、その方向の操作が有効となる設定である。これにより、上方向、中央方向および下方向の少なくとも３方向の操作方向を弁別し、弁別した方向のスイッチ操作に基づいてエレベータ装置１００の運転モードを設定することができる。操作ボタン４のスイッチ構造自体は限定しないが、機能として３方向からの操作方向が認識できる構成であればよい。
【００２０】
本実施形態では、中央スイッチ６および／または下部スイッチ７が押された場合は車椅子運転モードが設定される。その前の状態が一般利用者用運転モードであれば、前記スイッチ操作により、車椅子運転モードに切り替えられる。車椅子運転モードとは、戸開時間が延長され、車椅子利用者が安全に降車できる運転モードである。なお、子供が操作ボタン４を操作した場合、特に、身長が低い低年齢の子供であれば、中央スイッチ６または下部スイッチ７が操作される場合が多い。その場合にも車椅子運転モードとなり、戸開時間が延長される。低年齢の子供は歩く速度が遅いので、戸開時間が延長されると、乗降時の時間的余裕が確保され、子供の乗降時の安全性が向上する。
【００２１】
図４および図５は操作ボタン４を押す際の動作説明図である。本実施形態では、操作ボタン４は床面から１０００ないし１１００ｍｍの高さの位置に設置される。そのため、一般利用者は図３に示すように操作ボタン４を上方向（矢印Ａ方向）から押すこととなり、操作ボタン４のスイッチは上部スイッチ５が有効となる。逆に、車椅子利用者は車椅子に座ったままの姿勢で操作ボタン４を押すため、操作ボタン４は下方向（矢印Ｂ方向）から押されることになり、下部スイッチ７が有効となる。子供の場合も同様である。
【００２２】
仮に上部スイッチ５および中央スイッチ６が押された場合は、安全上、車椅子運転用モードに切り替えるように設定されている。そのため、中央スイッチ６操作が優先され、当該中央スイッチ６が有効となる。すなわち、本実施形態では、下部スイッチ７が押されたときのみならず、中央スイッチ６が単独で押された場合、あるいは上部スイッチ５とともに押された場合、下部スイッチ７とともに押された場合のいずれの場合、車椅子運転モードに自動的に切り換えられる。
【００２３】
このように利用者が、一般利用者、車椅子利用者にかかわらず１つの操作ボタン４を押圧操作するだけで、車椅子用の運転モードに自動的に切り替わるため、呼び登録時に乗場側の混雑を招くことがない。
【００２４】
図６は本実施形態に係る操作ボタン４のバリエーションを示す図で、図中左側は正面図、右側は右側面図である。同図（ａ）は半球状の操作ボタン４の例、同図（ｂ）は正面視５角形の柱形状の操作ボタン４の例、同図（ｃ）は正面視裁頭４角柱形状の操作ボタン４の例である。いずれも上側が上部スイッチ５、中央部が中央スイッチ６、下側が下部スイッチ７である。接点構造は図３の構成に準じ、上部スイッチ５は上方から操作されたとき、中央スイッチ６は水平方向もしくは横方向から操作されたとき合、下部スイッチ７は下方から操作されたときに、それぞれ有効となる。
【００２５】
図７は、乗りかご２０内の操作部を示す図である。乗りかご２０内には、一般利用者用行先階ボタン（以下、一般用ボタンと称す）８が設置された一般利用者用操作部２０ａと、車椅子利用者用行先階ボタン（以下、車椅子ボタンと称す）９が設置された車椅子利用者用操作部２０ｂの２ヶ所ある。本実施形態では、運転モードの切り替えは、乗りかご２０内からも、変更可能である。すなわち、乗りかご２０内で車椅子ボタン９が操作された場合、乗場１０側で上部スイッチ５が有効となった場合でも、車椅子用運転モードに切り替わる。
【００２６】
これに対し、乗場１０側でも乗りかご２０内でも車椅子ボタン９が押されない場合はつまり、車椅子利用者と同一階に一般利用者が降車する場合、一般利用者用運転モードで運転される。しかし、車椅子利用者と同一階に一般利用者が降車する場合 一般利用者が一般利用者用操作部２０ａの戸開ボタンを押して、ドアーが開放された状態を維持し、その間に、車椅子利用者が一般利用者よりも先に降車することが多い。この降車動作は、一般利用者の好意に基づいているが、通常よく行われている行為である。このように、一般利用者が一般利用者用操作部２０ａの戸開ボタンを押して、ドアーが開放された状態を維持し、その間に車椅子利用者が乗りかご２０から降りるパターンは、車椅子運転モードで実施される戸開時間延長と同じであり、車椅子利用者は安全に乗りかご２０から降車できる。
【００２７】
図８は本実施形態に係るエレベータ制御装置１０１の機能構成を示す機能ブロック図である。エレベータ制御装置１０１は、エレベータ呼び登録制御部１１４、エレベータ制御部１１６およびエレベータ運転制御部１１８を含む。エレベータ制御装置１０１は、乗場登録装置１１０とかご内登録装置１１２のボタン操作に基づいてエレベータの運転モード、運行、行先、表示、戸開および戸閉等を制御する。なお、乗場登録装置１１０は操作ボタン４の操作に基づいて呼び登録を行い、かご内登録装置１１２は乗りかご２０内の一般用ボタン８あるいは車椅子ボタン９の操作に基づいてかご内からの行先階登録を行う。
【００２８】
エレベータ呼び登録制御部１１４は、乗場登録装置１１０の操作ボタン４あるいはかご内登録装置１１２の一般用ボタン８あるいは車椅子ボタン９からの操作信号を受信し、呼び登録に関する制御および登録が行われる。すなわち、エレベータ呼び登録制御部１１４には、乗場１０側の操作ボタン４、乗りかご２０側の一般用ボタン８あるいは車椅子ボタン９を操作したときの操作信号が入力され、操作されたボタン４，８，９とエレベータの行先階の呼びが登録される。エレベータ制御部１１６は、エレベータ呼び登録制御部１１４で登録された行先階の登録データに基づいて一般利用者用運転モードあるいは車椅子運転モードのいずれかを設定し、エレベータの運行状態を参照して行先階への移動をエレベータ運転制御部１１８に指示する。エレベータ運転制御部１１８は、エレベータ制御部１１６からの指示に基づいて、設定された運転モードでエレベータの運転を制御する。
【００２９】
エレベータ制御装置１０１は、図示しないがＣＰＵ（Central Processing Unit）、ＲＯＭ（Read Only Memory）、ＲＡＭ（Random Access Memory）、およびＨＤＤ（Hard Disc Drive）などの記憶装置を備えている。ＣＰＵはＲＯＭに格納されたプログラムコードを読み込んでＲＡＭに展開し、当該ＲＡＭをワークエリアおよびデータバッファとして使用しながら前記プログラムコードで定義されたプログラムを実行する。また、ＣＰＵはＨＤＤにダウンロードされたプログラムコードを読み込んでＲＡＭに展開し、同様にしてプログラムを実行するように構成することもできる。なお、ＨＤＤには、ＣＰＵが制御するために必要な情報が格納され、必要に応じて更新される。本実施形態では、エレベータ呼び登録制御部１１４、エレベータ制御部１１６およびエレベータ運転制御部１１８は、プログラムによってＣＰＵに設定されたソフトウェア機能部であるが、それぞれの機能を備えたハードウェアによって置き換えることもできる。
【００３０】
図９はエレベータ制御部１１６で実行されるモード設定の処理手順を示すフローチャートである。同図において、まず、エレベータ制御部１１６は、ステップ１、ステップ２で乗場１０側のボタンである操作ボタン４が操作されたか否か、および乗りかご２０側の一般用ボタン８あるいは車椅子ボタン９が押されたか否かを常時チェックしている（図ではステップ１をＳ１のように記す）。すなわち、ステップ１とステップ２のループを繰り返し、操作ボタン４、一般用ボタン８および車椅子ボタン９のいずれかが押されるまで待機し、次の処理の実行を待っている。
【００３１】
待機中に操作ボタン４が押されたと判断すると（ステップ１：Ｙ）、ステップ３で上部スイッチ（ＳＷ）５が有効か否かをチェックする。有効でなければさらにステップ４で中央スイッチ（ＳＷ）６が有効か否かをチェックする。ステップ４で中央スイッチ６が有効であると判断されると、ステップ５で車椅子運転モードが設定される。また、ステップＳ３で上部スイッチ５が有効であった場合、ステップ６で中央スイッチ６が有効か否かが判断され、有効であれば、ステップ５で車椅子運転モードが設定される。すなわち、上部スイッチ５が押された場合に中央スイッチ６も有効になっていれば、安全を考慮して車椅子運転モードが設定される。
【００３２】
ステップ６で中央スイッチ６が有効でなければ、上部スイッチ５と下部スイッチ７を同時に操作することはできないので、上部スイッチ５のみが有効となり、エレベータ制御部１１６は、ステップ７で一般利用者用運転モードを設定する。
【００３３】
ステップ４で中央スイッチ６が有効でなければ、ステップ８で下部スイッチ７が有効か否かをチェックし、有効であれば、下部スイッチ７が操作されているので、エレベータ制御部１１６は、ステップ５で車椅子運転モードを設定する。有効でなければ、有効なスイッチ操作はなかったもの（誤検知）と判断し、ステップ１に戻って操作ボタン４の操作入力を待つ。
【００３４】
一方、ステップ２でかご内の一般用ボタン８あるいは車椅子ボタン９が操作されたと判断した場合、ステップ９で押されたボタンが車椅子ボタン９か否かをチェックする。ステップ９で車椅子ボタン９が操作されたと判断すると、ステップ５で車椅子モードが設定される。また、車椅子ボタン９ではなく、一般用ボタン８が押されたと判断すると（ステップ９：N）、ステップ７で一般利用者用運転モードが設定される。
【００３５】
このフローチャートから分かるように、上部スイッチ５のみが操作されたと判断された場合には、ステップ３→ステップ６→ステップ７の処理を経て一般利用者用運転モードが設定される。中央スイッチ６のみが操作されたと判断された場合には、ステップ３→ステップ４→ステップ５の処理を経て車椅子運転モードが設定される。下部スイッチ７のみが操作されたと判断された場合には、ステップ３→ステップ４→ステップ８→ステップ５の処理を経て車椅子運転モードが設定される。上部スイッチ５と中央スイッチ６が操作された（有効の）場合、ステップ３→ステップ６→ステップ５の処理を経て車椅子運転モードが設定される。下部スイッチ７と中央スイッチ６が操作された（有効の）場合、ステップ３→ステップ４→ステップ８→ステップ５の処理を経て車椅子運転モードが設定される。
【００３６】
このように制御することにより、車椅子利用者がスイッチ操作を行ったみなされる場合は、すべて車椅子運転モードが設定されるので、１つの操作スイッチ４で、乗場１０の混雑を招くことなく一般利用者用運転モードと車椅子用運転モードが自動的に設定され、一般利用者ドと車椅子利用者の利便性の向上を図ることができる。
【００３７】
以上のように、本発明を本実施形態に対応させれば、次のような効果を奏する。なお、以下の説明では、特許請求の範囲における各構成要素と本実施形態の各部について対応を取り、両者の用語が異なる場合には後者をかっこ書きで示し、また、対応する参照符号を付して両者の対応関係を明確にした。
【００３８】
１．乗場１０に設置された操作ボタン４により呼びを登録する呼び登録装置（エレベータ制御装置１０１）において、前記操作ボタン４を操作したときに、操作方向を弁別する操作方向検出手段（スイッチ部５ａ，６ａ，７ａ：乗場登録装置１１０）と、前記操作方向検出手段（スイッチ部５ａ，６ａ，７ａ）によって検出される操作方向から一般利用者用運転モード（Ｓ７）と車椅子運転モード（Ｓ５）のいずれかの運転モードを設定する運転モード設定手段（エレベータ制御部１１６：Ｓ３，Ｓ４，Ｓ６，Ｓ８）と、を備えた本実施形態によれば、１つの操作ボタン４で一般利用者と車椅子利用者の呼び登録が可能となるので、乗場側に車椅子利用者用の専用ボタンを配置することなく、呼び登録を行う際に、乗場混雑を招くことがない。
【００３９】
また、本実施形態によれば、乗場１０側に車椅子利用者専用の車椅子利用者用ボタン３を配置することなく、車椅子利用者用の運転モードにエレベータ制御部１１６側で変更することができる。さらに、呼び登録時は通常通り、操作する方向を意識することなく操作ボタン４を押すだけでよいので、呼び登録時に時間が掛かることはない。なお、本実施形態における呼び登録装置は、乗場登録装置１１０と、かご内登録装置１１２と、エレベータ呼び登録制御部１１４およびエレベータ制御部１１６を含むエレベータ制御装置１０１とによって構成されている。
【００４０】
２．前記操作方向検出手段（スイッチ部５ａ，６ａ，７ａ）が、上方向、中央方向および下方向の少なくとも３方向の操作方向を弁別する本実施形態によれば、一般利用者が操作したか、車椅子利用者もしくは子供が操作したかを判別することが可能となり、これにより、適切な運転モードに設定することができる。
【００４１】
３．前記操作方向が前記中央方向および前記下方向のいずれかであることを前記操作方向検出手段（スイッチ部５ａ，６ａ，７ａ）が検出したとき、前記運転モード設定手段（エレベータ制御部１１６）が、運転モードを車椅子運転モードに設定する本実施形態によれば、車椅子利用者もしくは子供が操作する蓋然性が高い場合に、安全性を考慮したモードでの運転が可能になる。これにより子供の乗降も含めて安全性の向上を図ることができる。
【００４２】
４．乗りかご２０内で車椅子用の行先階ボタン（車椅子用ボタン９）が操作されたとき、前記運転モード設定手段（エレベータ制御部１１６）は、運転モードを車椅子運転モードに設定する本実施形態によれば、車椅子利用者は、乗場１０側の操作で車椅子運転モードが設定できなかった場合でも、乗りかご２０の車椅子用ボタン８を操作すれば、自動的に車椅子運転モードでの運転が可能となるので、車椅子利用者のエレベータ上降時の安全性の向上を図ることができる。
【００４３】
５．操作ボタン４が、上方向からの押圧操作で有効となる上部スイッチ５と、中央方向からの押圧操作で有効となる中央スイッチ６と、下方向からの押圧操作で有効となる下部スイッチ７と、を備えた１つのスイッチ装置を含む本実施形態によれば、簡単なスイッチ構成でスイッチを操作する人の操作方向を知ることができる。
【００４４】
６．前記１ないし５のいずれか１項に記載の呼び登録装置（エレベータ制御部１１６）を備えた本実施形態に係るエレベータ装置１００によれば、前記１ないし５で述べた効果を奏するエレベータ装置１００を提供することができる。
【符号の説明】
【００４５】
１  乗場ドア
４  操作ボタン
５  上部スイッチ
５ａ  スイッチ部（操作方向検出手段）
６  中央スイッチ
６ａ  スイッチ部（操作方向検出手段）
７  下部スイッチ
７ａ  スイッチ部（操作方向検出手段）
８  一般利用者用行先階ボタン（一般利用者用ボタン）
９  車椅子利用者用行先階ボタン（車椅子用ボタン）
１０  乗場
１００  エレベータ装置
１０１  エレベータ制御装置（呼び登録装置）
１１０  乗場登録装置（呼び登録装置）
１１２  かご内登録装置
１１４  エレベータ呼び登録制御部（呼び登録装置）
１１６  エレベータ制御部（運転モード設定手段、呼び登録装置）
【図１】
2018002401.tif 000003
【図２】
2018002401.tif 000004
【図３】
2018002401.tif 000005
【図４】
2018002401.tif 000006
【図５】
2018002401.tif 000007
【図６】
2018002401.tif 000008
【図７】
2018002401.tif 000009
【図８】
2018002401.tif 000010
【図９】
2018002401.tif 000011
【図１０】
2018002401.tif 000012